(57)【特許請求の範囲】
【請求項１】
上部に開口部を有する容器本体と、開口部を開閉するための蓋と、容器本体の下面部の設置面より上方位置においてシーソ回動する回動部材と、回動部材の前端部に取付けられるペダルと、ペダルを踏んで回動部材を回動した際に上方に移動して蓋を開く操作杆とを備えたペダル開閉式ごみ容器において、容器本体の前面部の下部に前面よりも背方側に凹んだ凹みを設け、ペダルを取付けない状態で回動部材の前端部を容器本体の前面よりも突出しないように凹み内に位置させ、この回動部材の前端部に嵌め込み部を設け、ペダルの後面に開口する嵌め込み凹部を形成し、凹み内に位置する回動部材の前端部の嵌め込み部にペダルの後面に開口する嵌め込み凹部を嵌め込むと共に係止手段により後付け可能に取付け、後付けによりペダルを回動部材の前端部に取付けた状態でペダルの少なくとも前部を容器本体の前面よりも前方に突出させて成ることを特徴とするペダル開閉式ごみ容器。
【請求項２】
容器本体の下面部の設置面より上方位置においてシーソ回動する２つの回動部材を設け、この２つの回動部材の前端部にそれぞれ嵌め込み部を設けると共に嵌め込み部の両側に先端が自由端となった弾性を有する係止片を設け、該係止片の外面部に係止爪を突設し、ペダルの後面に開口する嵌め込み凹部を形成し、嵌め込み凹部の両側に係止孔を設け、２つのペダルの嵌め込み凹部をそれぞれ２つの回動部材の嵌め込み部に嵌め込み、係止爪を係止孔に係止して成ることを特徴とする請求項１記載のペダル開閉式ごみ容器。
【発明の詳細な説明】
【０００１】
【発明の属する技術分野】
本発明は、ペダル開閉式ごみ容器に関するものである。
【０００２】
【従来の技術】
従来から上部に開口部を有する容器本体と、開口部を開閉するための蓋と、容器本体の下面部の設置面より上方位置においてシーソ回動する回動部材と、回動部材の前端部に取付けられるペダルと、ペダルを踏んで回動部材を回動した際に上方に移動して蓋を開く操作杆とを備えたペダル開閉式ごみ容器が知られている。
【０００３】
上記ペダル開閉式ごみ容器においては、操作性の観点などの理由でペダルが容器本体の前面から突出している。ところが、ペダルが容器本体の前面から突出しているため、梱包、搬送に当たり、容器本体から突出するペダルが邪魔になって、梱包が面倒であるばかりでなく、容器本体を複数上下にはめ合わせてコンパクトにした状態で梱包することができないので、梱包コストも高くなり、更に、搬送においてもペダルが邪魔になるだけでなく、容器本体を複数上下にはめ合わせてコンパクトにした状態で搬送できないので、搬送コストが高くなるという問題があった。
【０００４】
そこで、たとえば、実用新案登録第３０１４８５８号や特開平１１−２２７８１３号等が提案されている。
【０００５】
前者の従来例は、容器本体の下面部にシーソ回動自在に取付けた回動部材の前端部の取付け部を容器本体の前面より少し突出させ、この容器本体の前面より少し突出させた取付け部にペダルを容器本体の外面に沿うように起立自在に取付けるか又は上記容器本体の前面より少し突出させた取付け部にペダルを取り外し可能としたものであり、これにより梱包や搬送に当たって、ペダルが容器本体の外面から使用状態と同様の突出状態とならないようにしようとするものである。しかしながら、この前者の従来例にあっては、ペダルを起立させた場合にはペダルが容器本体の外面から依然として起立状態で突出しており、また、ペダルを取り外した場合でも回動部材の前端部の取付け部を容器本体の前面より突出している。したがって、この従来例にあっては、容器本体の前面からの突出量が少ないとはいえ依然としてペダルや回動部材の前端部が突出していて、これが梱包や搬送の際に邪魔になり、また、突出部分が邪魔になって容器本体同士を上下に多段に嵌め込んでコンパクトにして梱包したり、搬送したりすることができないものである。
【０００６】
また、後者の従来例にあっては、容器本体の前面の下端部に凹みを設け、容器本体の下面部にシーソ回動自在に取付けた回動部材の前端部にペダルを起倒自在に取付け、梱包や搬送の際はペダルを起立させて凹み内に位置させ、使用の際にはペダルを倒してペダルの前部を容器本体の前面から前方に突出させるようにしている。この後者の従来例は梱包や搬送時にはペダルが凹み内で起立しているので、容器本体を複数上下に多段に嵌め込んで梱包、搬送が可能である。しかしながら、この後者のような従来例においては、ペダルが回動部材に対して回動自在であるため、ペダルを倒して使用している際、足先がペダルに当たるとペダルが起立する方向に回動したり、あるいはペダルを踏んで離すと反動でペダルが回動部材に対して回動するおそれがあり、ペダルが不安定であり、このため、足で踏んで行うペダル操作がしにくいという問題がある。
【０００７】
【発明が解決しようとする課題】
本発明は上記の点に鑑みてなされたものであり、梱包や搬送に当たってペダル、回動部材が邪魔にならず、しかも、使用時に安定してペダル操作ができるペダル開閉式ごみ容器を提供することを課題とするものである。
【０００８】
【課題を解決するための手段】
上記課題を解決するために本発明に係るペダル開閉式ごみ容器は、上部に開口部１を有する容器本体２と、開口部１を開閉するための蓋Ａと、容器本体２の下面部の設置面より上方位置においてシーソ回動する回動部材Ｂと、回動部材Ｂの前端部に取付けられるペダルＣと、ペダルＣを踏んで回動部材Ｂを回動した際に上方に移動して蓋Ａを開く操作杆５１とを備えたペダル開閉式ごみ容器において、容器本体２１の前面部の下部に前面よりも背方側に凹んだ凹み６０を設け、ペダルＣを取付けない状態で回動部材Ｂの前端部を容器本体２の前面よりも突出しないように凹み６０内に位置させ、回動部材Ｂの前端部に嵌め込み部６１を設け、ペダルＣの後面に開口する嵌め込み凹部６４を形成し、凹み６０内に位置する回動部材Ｂの前端部の嵌め込み部６１にペダルＣの後面に開口する嵌め込み凹部６４を嵌め込むと共に回動部材Ｂの前端部にペダルＣを係止手段Ｄにより後付け可能に取付け、後付けによりペダルＣを回動部材Ｂの前端部に取付けた状態でペダルＣの少なくとも前部を容器本体２の前面よりも前方に突出させて成ることを特徴とするものである。このような構成とすることで、梱包、搬送に当たっては、ペダルＣを回動部材Ｂに取付けない状態で梱包、搬送するものであり、この場合、ペダルＣが梱包や搬送の邪魔にならないのみならず、回動部材Ｂの前端部が容器本体２の前面よりも突出しないように凹み６０内に位置するので、回動部材Ｂの前端部も梱包や搬送の邪魔にならないものである。また、使用に当たっては、後付けによりペダルＣの後面に開口する嵌め込み凹部６４を凹み６０内に位置する回動部材Ｂの前端部の嵌め込み部６１に嵌め込むと共に係止手段Ｄにより取付けることで、簡単且つ確実にペダルＣを回動部材Ｂに取付けることができるものである。
【０００９】
また、容器本体２の下面部の設置面より上方位置においてシーソ回動する２つの回動部材Ｂを設け、この２つの回動部材Ｂの前端部にそれぞれ嵌め込み部６１を設けると共に嵌め込み部６１の両側に先端が自由端となった弾性を有する係止片６２を設け、該係止片６２の外面部に係止爪６３を突設し、ペダルＣの後面に開口する嵌め込み凹部６４を形成し、嵌め込み凹部６４の両側に係止孔６５を設け、２つのペダルＣの嵌め込み凹部６４をそれぞれ２つの回動部材Ｂの嵌め込み部６１に嵌め込み、係止爪６３を係止孔６５に係止することが好ましい。このような構成とすることで、２つのペダルＣを嵌め込みと係止とによりそれぞれ回動部材Ｂに取付けることができて、簡単な構成で２つのペダルＣを安定して取付けることが可能となる。
【００１０】
【発明の実施の形態】
以下、本発明を添付図面に示す実施形態に基づいて説明する。
【００１１】
図１５乃至図１７に容器本体２が示してある。容器本体２は上部に開口部１が形成してあり、この容器本体２の開口部１の周囲には外側方に向けてフランジ部１４が設けてあり、開口部１の一端部（図に示す実施形態では開口部１の１辺）における上記フランジ部１４部分には上下に貫通した挿通孔１５が設けてあり、この挿通孔１５を設けたフランジ部１４には更に外側方に向けて一対の軸支用突出部１６が突出してある。
【００１２】
一対の軸支用突出部１６の両側にはそれぞれ軸部１７が一体に突出しており、一方の軸支用突出部１６の外側の軸部１７が第１の主軸支部１０となり、他方の軸支用突出部１６の外側の軸部１７が第２の主軸支部１１となっている。この一定間隔を隔てて配設された第１の主軸支部１０と第２の主軸支部１１とで後述の大蓋３の一端部に設けた一対の大蓋側被軸支部６を回動自在に軸支するための大蓋用軸支部７が構成してある。
【００１３】
また、一方の軸支用突出部１６の内側の軸部１７が第１の副軸支部１２となり、他方の軸支用突出部１６の内側の軸部１７が第２の副軸支部１３となっている。そして、上記一方の軸支用突出部１６の外側の軸部１７よりなる第１の主軸支部１０と該一方の軸支用突出部１６の内側の軸部１７よりなる第１の副軸支部１２との組みで後述の２枚の小蓋４のうち一方の小蓋４の一端部に設けた一対の小蓋側被軸支部８を回動自在に軸支するための小蓋用軸支部９が構成してあり、また、他方の軸支用突出部１６の外側の軸部１７よりなる第２の主軸支部１１と該他方の軸支用突出部１６の内側の軸部１７よりなる第２の副軸支部１３との組みで後述の２枚の小蓋４のうち他方の小蓋４の一端部に設けた一対の小蓋側被軸支部８を回動自在に軸支するための小蓋用軸支部９が構成してある。
【００１４】
大蓋３は図１８に示すようなもので、１枚で容器本体２の開口部１を閉じることができる大きさとなっている。大蓋３の一端部には突部１８が突設してあり、突部１８には一対のＵ状溝部６ａよりなる大蓋側被軸支部６が形成してある。一対のＵ状溝部６ａは少なくとも対向面側に開口し且つ突部１８の突出方向に向けて開口しており、Ｕ状溝部６ａの突部１８の突出方向の開口付近にストッパ用凸部６ｂが設けてある。また、大蓋３の突部１８の下面側には一対のＵ状溝部６ａ間の中間部分に操作用腕部１９が突設してある。
【００１５】
小蓋４は図１９に示すようなもので、上記大蓋３を２分割した形状をしていて２枚の小蓋４で容器本体２の開口部１を閉じることができるようになっており、各小蓋４の一端部には突部２０が突設してあり、突部２０には一対のＵ状溝部８ａよりなる小蓋側被軸支部８が形成してある。一対のＵ状溝部８ａは少なくとも対向面側に開口し且つ突部２０の突出方向に向けて開口しており、Ｕ状溝部８ａの突部２０の突出方向の開口付近にストッパ用凸部８ｂが設けてある。また、小蓋４の突部２０の下面側には一対のＵ状溝部８ａ間の中間部分に操作用腕部２１が突設してある。
【００１６】
容器本体２の上部の開口部１には１枚の大蓋３又は２枚の小蓋４を選択的に取付け自在となっている。図５乃至図８は１枚の大蓋３を取付けた状態を示し、このように１枚の大蓋３を取付ける場合には、第１の主軸支部１０と第２の主軸支部１１とよりなる大蓋用軸支部７に、大蓋３の一端部に設けた一対の大蓋側被軸支部６を回動自在に軸支することで取付けるものである。すなわち、図２３に示すように、大蓋３を起立した状態で一対の大蓋側被軸支部６を構成する一対のＵ状溝部６ａの下方開口（突部１８の突出方向の開口）を第１の主軸支部１０を構成する軸部１７と第２の主軸支部１０を構成する軸部１７とに上方から被嵌することで大蓋用軸支部７に大蓋側被軸支部６を回動自在に軸支するものである。この場合、ストッパ用凸部６ｂを乗り越えて軸部１７にＵ状溝部６ａを被嵌するものであり、乗り越える際に弾性的に溝幅が広がったＵ状溝部６ａが弾性的に復元することでストッパ用凸部６ｂにより軸部１７からＵ状溝部６ａが抜けるのを防止している。もちろん、強い力で外すときは大蓋３を取り外すことが可能となるようにしてもよい。
【００１７】
また、図１０乃至図１３には２枚の小蓋４を取付けた状態を示し、このように２枚の小蓋４を取付ける場合には、第１の主軸支部１０と第１の副軸支部１２の組みで構成される小蓋用軸支部９と、第２の主軸支部１１と第２の副軸支部１３の組みで構成される小蓋用軸支部９とに、２枚の小蓋４の一端部にそれぞれ設けた一対の小蓋側被軸支部８を着脱自在に軸支することで取付けるものである。すなわち、ここで一方の小蓋４を起立した状態で一対の小蓋側被軸支部８を構成する一対のＵ状溝部８ａの下方開口（突部２０の突出方向の開口）を第１の主軸支部１０を構成する軸部１７と第１の副軸支部１２を構成する軸部１７とに上方から被嵌することで一方の小蓋用軸支部９に一方の小蓋４の小蓋側被軸支部８を回動自在に軸支するものであり、また、他方の小蓋４を起立した状態で一対の小蓋側被軸支部８を構成する一対のＵ状溝部８ａの下方開口（突部２０の突出方向の開口）を第２の主軸支部１１を構成する軸部１７と第２の副軸支部１３を構成する軸部１７とに上方から被嵌することで他方の小蓋用軸支部９に他方の小蓋４の小蓋側被軸支部８を回動自在に軸支するものである。この場合、ストッパ用凸部８ｂを乗り越えて軸部１７にＵ状溝部８ａを被嵌するものであり、乗り越える際に弾性的に溝幅が広がったＵ状溝部８ａが弾性的に復元することでストッパ用凸部８ｂにより軸部１７からＵ状溝部８ａが抜けるのを防止している。もちろん、強い力で外すときは小蓋４を取り外すことが可能となるようにしてもよい。
【００１８】
なお、添付図面に示す実施形態では大蓋用軸支部７、小蓋用軸支部９を軸（図の例では軸部）により構成し、大蓋側被軸支部６、小蓋側軸支部８を軸受け（図の例ではＵ状溝部）により構成したが、大蓋用軸支部７、小蓋用軸支部９を軸受けとし、大蓋側被軸支部６、小蓋側軸支部８を軸としてもよいものである。
【００１９】
図１６に示すように、容器本体２の底面部には前後方向にわたって上方に凹設した凹所２２が設けてある。また、容器本体２の前面下端部には凹み６０が設けてあり、容器本体２の後面には背方に開口した操作杆配置用の縦長の凹部４０が上下方向にわたって設けてあり、上記凹所２２の前端開口が凹み６０の下部に連通すると共に凹所２２の後端開口が凹部４０の下部と連通している。
【００２０】
凹所２２の中央部には凹所２２の上底部より下方に向けて中央突部２３が設けてある。凹所２２の両内壁の中央突部２３を介して対向する部分に第１の主枢支部２４となる枢支孔と第２の主枢支部２５となる枢支孔とを設けてあり、この第１の主枢支部２４と第２の主枢支部２５とで後述の大蓋用回動部材３０の両側に設けた一対の被枢支部３１をシーソ回動自在に枢支できる大蓋用回動部材側枢支部２６を構成してある。
【００２１】
また、第１の主枢支部２４と対向する中央突部２３の側面に第１の副枢支部２７となる枢支孔を設けてあり、第２の主枢支部２５と対向する中央突部２３の側面に第２の副枢支部２８となる枢支孔を設けてある。ここで、第１の主枢支部２４と第１の副枢支部２７の組みおよび第２の主枢支部２５と第２の副枢支部２８の組みでそれぞれ後述の２つの小蓋用回動部材３２の両側に設けた被枢支部３３をそれぞれ独立してシーソ回動自在に枢支できる２組みの小蓋用回動部材側枢支部２９を構成してある。
【００２２】
回動部材Ｂとしては図２０，図２１に示すような大蓋用回動部材３０と小蓋用回動部材３２とがあり、大蓋用回動部材３０と小蓋用回動部材３２のいずれも前端部に嵌め込み部６１を設けると共に嵌め込み部６１の両側にコ字状の切り込み溝を形成し、コ字状の切り込み溝で囲まれた部分がコ字状をした先端が自由端となった弾性を有する係止片６２となっており、この係止片６２の外面部に係止爪６３を突設してある。そして、回動部材Ｂの前端部には後述のようにしてペダルＣを取付ける（大蓋用回動部材３０の前端部には大蓋用のペダル３４を取付けることができ、また、小蓋用回動部材３２の前端部には小蓋用のペダル３８を取付けることができる）ようになっている。
【００２３】
大蓋用回動部材３０の他端部（後端部）に接続用軸部３５が設けてあり、前後方向の中央部は横幅が広くなった幅広部３６となっていてこの幅広部３６の中央部に遊嵌用窓部３７が形成してあり、また、幅広部３６の両側には一対の被枢支部３１を構成する軸がそれぞれ突設してある。
【００２４】
また、小蓋用回動部材３２の他端部（後端部）に接続用軸部３９が設けてあり、前後方向の中央部の両側には一対の被枢支部３３を構成する軸がそれぞれ突設してある。
【００２５】
ここで、大蓋用回動部材３０を容器本体２の下面部において接地面よりも上方位置でシーソ回動自在に取付けるには以下のようにして行う。すなわち、図７に示すように、大蓋用回動部材３０の中央部に設けた遊嵌用窓部３７を下方から中央突部２３に遊嵌した状態で大蓋用回動部材３０を容器本体２の下面部の凹所２２に入れて大蓋用回動部材３０の両側の被枢支部３１をそれぞれ第１の主枢支部２４と第２の主枢支部２５とで構成される大蓋用回動部材側枢支部２６にシーソ回動自在に枢支することで取付けることができる。
【００２６】
また、２つの小蓋用回動部材３２を容器本体２の下面部において接地面よりも上方位置でそれぞれ独立してシーソ回動自在に取付けるには以下のようにして行う。すなわち、図１２に示すように、一方の小蓋用回動部材３２を凹所２２の一方の片側半部に入れて小蓋用回動部材３２の両側の被枢支部３３をそれぞれ第１の主枢支部２４と第１の副枢支部２７とで構成される小蓋用回動部材側枢支部２９にシーソ回動自在に枢支することで取付け、また、他方の小蓋用回動部材３２を凹所２２の他方の片側半部に入れて他方の小蓋用回動部材３２の両側の被枢支部３３をそれぞれ第２の主枢支部２５と第２の副枢支部２８とで構成される他の小蓋用回動部材側枢支部２９にシーソ回動自在に枢支することで取付けるものである。
【００２７】
回動部材Ｂに後付けで取付けることができるペダルＣとしては図２（ｂ）に示すような大蓋用のペダル３４と図２（ｃ）に示すような小蓋用のペダル３８とがある。大蓋用ペダル３４の下面部、小蓋用のペダル３８の下面部及びにはそれぞれ後面に開口する嵌め込み凹部６４を形成し、嵌め込み凹部６４の両側に係止孔６５を設けてある。
【００２８】
上記のように、容器本体２の下面部に１つの大蓋３を開き操作するための１つの大蓋用回動部材３０と、２つの小蓋４をそれぞれ独立して開き操作するための２つの小蓋用回動部材３２とを選択的に取付けることができるものであって、共通の容器本体２を１つの大蓋３付きのごみ容器と、２つの小蓋４付きのごみ容器として兼用できるものである。また、上記のように大蓋用回動部材側枢支部２６を構成する第１の主枢支部２４、第２の主枢支部２５をそれぞれ小蓋用回動部材側枢支部２９の一構成部材として兼用化しているので、構造が簡略化できるものである。
【００２９】
なお、添付図面に示す実施形態では大蓋用回動部材側枢支部２６、小蓋用回動部材側枢支部２９を軸受け（図の例では孔）により構成し、被枢支部３１、被枢支部３３を軸により構成したが、大蓋用回動部材側枢支部２６、小蓋用回動部材側枢支部２９を軸とし、被枢支部３１、被枢支部３３を軸受けとしてもよいものである。
【００３０】
図１７に示すように、容器本体２の後面に設けた操作杆配置用の縦長の凹部４０の下端部は前述のように容器本体２の下面部に形成した凹所２２の後端開口と略直交して連通しており、また、凹部４０の上部は前述の容器本体２の上部の開口部１の周囲のフランジ部１４の一辺に設けた挿通孔１５に連通している。
【００３１】
挿通孔１５は図１５に示すように、平面視でフランジ部１４の一辺に沿って細長くなっており、該細長孔の対向する長辺のうち一方の長辺の中央部に細長い挿通孔１５内に向けて中央ガイド突部４１が設けてある。ここで、中央ガイド突部４１の両側がそれぞれ第１主ガイド部４２、第２主ガイド部４３となり、この第１主ガイド部４２、第２主ガイド部４３で後述の大蓋用操作杆４４の両側に設けた被ガイド部４５をガイドするための大蓋用操作杆側ガイド部４６を構成している。また平面視で細長い挿通孔１５の対向する短辺はそれぞれ第１副ガイド部４７、第２副ガイド部４８となっており、対向する第１主ガイド部４２と第１副ガイド部４７の組みと対向する第２主ガイド部４３と第２副ガイド部４８の組みとで後述の２つの小蓋用操作杆４９の両側に設けた被ガイド部４５をガイドするための２組の小蓋用操作杆側ガイド部５０となっている。
【００３２】
添付図面に示す実施形態においては図２２に示すような共通の操作杆５１により大蓋用操作杆４４、小蓋用操作杆４９が構成してある。大蓋用操作杆４４、小蓋用操作杆４９となる共通の操作杆５１は断面コ字状をした縦長の杆であって、断面コ字状をした操作杆５１の両側部が被ガイド部４５となっており、また、操作杆５１の下端部に断面Ｃ字状をした連結部５２が設けてあり、操作杆５１の上端部に連結用孔部５３ａを有する押操作部５３が設けてある。
【００３３】
容器本体２は前述のように、１枚の大蓋３を開閉自在に取付ける蓋付き容器と２枚の小蓋４を開閉自在に取付ける蓋付き容器との２種類の蓋付き容器の本体として兼用できるものであり、梱包、搬送に当たっては、いずれも、図１に示すように、容器本体２に蓋Ａ（１枚の大蓋３又は２枚の小蓋４）を取付けず、更に、ペダルＣ（１つの大蓋用のペダル３４又は２つの小蓋用のペダル３８）を取付けず、他の部材である回動部材Ｂ（１つの大蓋用回動部材３０又は２つの小蓋用回動部材３２）及び操作杆５１（１つの大蓋用操作杆４４又は２つの小蓋用操作杆４９）を容器本体２に取付けた状態で梱包、搬送を行うものである。上記のように、蓋Ａ、ペダルＣを取付けず、他の部材である回動部材Ｂ及び操作杆５１を取付けた容器本体２は、回動部材Ｂ及び操作杆５１が容器本体２の前面や後面から外に突出しないので、梱包がし易く、搬送がしやすいものである。また、上部が開口部１となった容器本体２は合成樹脂により形成してあるので、型抜き等の理由により上に行くほど大径となっているので、下段の容器本体２の上部の開口部１から上段の容器本体２を嵌め込むというように上下にコンパクトにした状態で梱包したり搬送したりすることも可能となるものである。なお、蓋Ａ（大蓋３や小蓋４）は複数枚重ねて梱包し、更に、ペダルＣは各容器本体２内に入れて容器本体２と共に梱包する。
【００３４】
上記梱包や搬送のために回動部材Ｂ及び操作杆５１を容器本体２に取付けた際、操作杆５１の下端部の断面Ｃ字状の連結部５２を大蓋用回動部材３０の後端部の接続用軸部３５又は小蓋用回動部材３２の後端部の接続用軸部３９に回動自在に嵌め込み、操作杆５１の上部は図９や図１４に示すように横長の挿通孔１５に挿通するものであるが、ここで操作杆５１が大蓋用操作杆４４の場合には挿通孔１５の中央部に挿通するものであり、この場合、断面コ字状をした操作杆５１のコ字状溝部５４を中央ガイド突部４１にスライド自在に被嵌すると共に断面コ字状をした操作杆５１の両側部の被ガイド部４５を中央ガイド突部４１の両側の第１主ガイド部４２、第２主ガイド部４３よりなる大蓋用操作杆側ガイド部４６に小隙間を介して対向させる。また、操作杆５１が小蓋用操作杆４９の場合には図１４に示すように、２つの小蓋用操作杆４９の上部を横長の挿通孔１５の両側部に挿通するものであり、この場合、一方の小蓋用操作杆４９の両端部の被ガイド部４５がそれぞれ対向する第１主ガイド部４２と第１副ガイド部４７の組みで構成される小蓋用操作杆側ガイド部５０に上下スライド自在にガイドされるように嵌め込まれ、また、他方の小蓋用操作杆４９の両端部の被ガイド部４５がそれぞれ対向する第２主ガイド部４３と第２副ガイド部４８の組みで構成される小蓋用操作杆側ガイド部５０に上下スライド自在にガイドされるように嵌め込まれる。
【００３５】
蓋付きごみ容器として使用するに当たっては、容器本体２に蓋Ａを回動自在に取付け、また、回動部材Ｂの前端部にペダルＣを嵌め込むと共に係止手段Ｄにより係止して取付ける。
【００３６】
１枚の大蓋３を取付ける場合には前述のように、容器本体２の大蓋用軸支部７に大蓋３の大蓋側被軸支部６を回動自在に軸支して取付けるものであり、また、２枚の小蓋４を取付ける場合には前述のように、容器本体２の２組の小蓋用軸支部９にそれぞれ２つの小蓋４の小蓋側被軸支部８をそれぞれ回動自在に軸支して取付けるものである。なお、容器本体２に２つの小蓋４を取付ける場合、容器本体２内に仕切り（図示せず）を着脱自在に嵌め込んで容器本体２内を２つの収納部にわける。
【００３７】
一方、使用に当たって回動部材Ｂに後付けによりペダルＣを取付けるには、次のようにして行うものである。すなわち、ペダルＣの嵌め込み凹部６４を回動部材Ｂの嵌め込み部６１に嵌め込み、係止爪６３を係止孔６５の縁に係止することによりペダルＣを回動部材Ｂに嵌め込みにより後付けすることができるものである。ここで、係止爪６３は係止片６２の弾性力により係止孔６５の縁に係止して取付けられ、上記係止爪６３と係止孔６５によりペダルＣを回動部材Ｂに取付けるための係止手段Ｄが構成される。
【００３８】
ペダルＣとしては前述のように大蓋用のペダル３４と小蓋用のペダル３８とがあり、大蓋用のペダル３４の場合には１つの大蓋用のペダル３４を１つの大蓋用回動部材３０の前端部に上記のようにして後付けにより取付けるものであり、また、小蓋用のペダル３８の場合には２つの小蓋用のペダル３８を２つの小蓋用回動部材３２の前端部に上記のようにして後付けにより取付けるものである。
【００３９】
しかして、使用に当たっては、図３のように蓋Ａにより容器本体２の開口部１を閉じている状態で、ペダル３４に足を載せて踏んでペダルＣを押し下げると、図４のように大蓋用回動部材３０が回動して大蓋用操作杆４４を構成する操作杆５１が上方に移動し、操作杆５１の上端部の押操作部５３により操作用腕部１９（小蓋４の場合には操作用腕部２１）を上方に押し上げ、蓋Ａが回動して開くものであり、この状態で容器本体２内にごみを入れるものである。
【００４０】
また、ペダル３４から足を離すと、蓋Ａの自重により蓋Ａが逆方向に回動して容器本体２の開口部１を閉じ、また、操作杆５１が蓋Ａにより下方に押し下げられて回動部材Ｂを上記と逆方向にシーソ回動し、ペダルＣが前端側が上となるように初期位置に復帰する（図３）。
【００４１】
なお、２つ小蓋４を取付けた場合には小蓋用の２つのペダル３８のいずれかを踏むことでいずれかの小蓋４を独立して開くことができ、また、２つのペダル３８を同時に踏むことで２つの小蓋４を同時に開くことができる。
【００４２】
なお、上記実施形態においては１つの大蓋３を取付ける蓋付きごみ容器と、２つの小蓋４を取付ける蓋付きごみ容器の各容器本体２として共通のものを使用する例で示したが、１つの大蓋３を取付ける蓋付きごみ容器における容器本体と、２つの小蓋４を取付ける蓋付きごみ容器の各容器本体とが別の構成のものであってもよいものである。
【００４３】
また、ペダルＣは後付けで取付けて前部を容器本体２の前面よりも前方に突出しているので、ペダルＣの前部の形状、大きさは容器本体２の前面下部に設けた凹み６０の大きさに規制されることがない。これにより例えば、ペダルＣの前部を凹み６０よりも大きいものとすることができる。
【００４４】
【発明の効果】
上記のように本発明の請求項１記載の発明にあっては、ペダル開閉式ごみ容器において、容器本体２の前面部の下部に前面よりも背方側に凹んだ凹みを設け、ペダルを取付けない状態で回動部材の前端部を容器本体の前面よりも突出しないように凹み内に位置させ、この回動部材の前端部に嵌め込み部を設け、ペダルの後面に開口する嵌め込み凹部を形成し、凹み内に位置する回動部材の前端部の嵌め込み部にペダルの後面に開口する嵌め込み凹部を嵌め込むと共に回動部材の前端部にペダルを係止手段により後付け可能に取付け、後付けによりペダルを回動部材の前端部に取付けた状態でペダルの少なくとも前部を容器本体の前面よりも前方に突出させてあるので、梱包、搬送に当たっては、ペダルを回動部材に取付けない状態で梱包、搬送するものであり、この場合、ペダルが梱包や搬送の邪魔にならないのみならず、回動部材の前端部が容器本体の前面よりも突出しないように凹み内に位置するので、回動部材の前端部も梱包や搬送の邪魔にならないものであり、この結果、梱包や搬送が簡単且つ低コストとなるものであり、また、使用に当たっては、後付けによりペダルの後面に開口する嵌め込み部を凹み内に位置する回動部材の前端部の嵌め込み部に嵌め込むと共に係止手段により取付けることで、簡単且つ確実にペダルを回動部材に取付けることができ、使用時にペダルががたついたり回動したりしないものであって、安定してペダル操作ができるものである。
【００４５】
また、請求項２記載の発明にあっては、上記請求項１記載の発明の効果に加えて、容器本体の下面部の設置面より上方位置においてシーソ回動する２つの回動部材を設け、この２つの回動部材の前端部にそれぞれ嵌め込み部を設けると共に嵌め込み部の両側に先端が自由端となった弾性を有する係止片を設け、該係止片の外面部に係止爪を突設し、ペダルの後面に開口する嵌め込み凹部を形成し、嵌め込み凹部の両側に係止孔を設け、２つのペダルの嵌め込み凹部をそれぞれ２つの回動部材の嵌め込み部に嵌め込み、係止爪を係止孔に係止してあるので、２つのペダルを嵌め込みと係止とによりそれぞれ２つの回動部材に取付けることができて、嵌め込みという簡単な構成で回動しないように安定して取付けることができると共に係止という簡単な構成で外れないように取付けることができ、２つのペダルの後付けが簡単且つ確実に行えるものである。
【図面の簡単な説明】
【図１】本発明のペダルを取付ける前の状態の容器本体の断面図である。
【図２】（ａ）は同上のペダルを回動部材に取付ける前の分解断面図であり、（ｂ）は大蓋用のペダルと回動部材との上下逆にした状態における分解斜視図であり、（ｃ）は小蓋用のペダルと回動部材との上下逆にした状態における分解斜視図である。
【図３】同上の蓋付きごみ容器において開口部を閉じた状態の断面図である。
【図４】同上の開口部を開いた状態の断面図である。
【図５】同上の１枚の大蓋を取付けた蓋付き容器の平面図である。
【図６】同上の１枚の大蓋を取付けた状態の正面図である。
【図７】同上の１つの大蓋用回動部材を取付けた状態の下面図である。
【図８】同上の１つの大蓋用操作杆を取付けた状態の背面図である。
【図９】同上の１つの大蓋用操作杆の挿通孔への挿通部分の断面図である。
【図１０】同上の２枚の小蓋を取付けた蓋付き容器の平面図である。
【図１１】同上の２枚の小蓋を取付けた状態の正面図である。
【図１２】同上の２つの小蓋用回動部材を取付けた状態の下面図である。
【図１３】同上の２つの小蓋用操作杆を取付けた状態の背面図である。
【図１４】同上の２つの小蓋用操作杆の挿通孔への挿通部分の断面図である。
【図１５】同上の容器本体の平面図である。
【図１６】同上の容器本体の下面図である。
【図１７】同上の容器本体の背面図である。
【図１８】同上の大蓋を示し、（ａ）は平面図であり、（ｂ）は下面図であり、（ｃ）は正面断面図であり、（ｄ）は（ｃ）のＸ1−Ｘ1線断面図であり、（ｅ）は（ｃ）のＸ2−Ｘ2線断面図である。
【図１９】同上の小蓋を示し、（ａ）は平面図であり、（ｂ）は下面図であり、（ｃ）は（ａ）のＹ1−Ｙ1線断面図であり、（ｄ）は（ａ）のＹ2−Ｙ2線断面図である。
【図２０】同上の大蓋用回動部材を示し、（ａ）は平面図であり、（ｂ）は側面図である。
【図２１】同上の小蓋用回動部材を示し、（ａ）は平面図であり、（ｂ）は側面図である。
【図２２】同上の操作杆を示し、（ａ）は正面図であり、（ｂ）は側面図であり、（ｃ）は断面図である。
【図２３】同上の大蓋（小蓋）を取付ける状態を示す説明図のための一部破断した斜視図である。
【符号の説明】
１  開口部
２  容器本体
５  ごみ容器
５１  操作杆
６０  凹み
６１  嵌め込み部
６２  係止片
６３  係止爪
６４  嵌め込み凹部
６５  係止孔
Ａ  蓋
Ｂ  回動部材
Ｃ  ペダル
Ｄ  係止手段
【図１】
0003967901.tif 000002
【図２】
0003967901.tif 000003
【図３】
0003967901.tif 000004
【図４】
0003967901.tif 000005
【図５】
0003967901.tif 000006
【図６】
0003967901.tif 000007
【図７】
0003967901.tif 000008
【図８】
0003967901.tif 000009
【図９】
0003967901.tif 000010
【図１０】
0003967901.tif 000011
【図１１】
0003967901.tif 000012
【図１２】
0003967901.tif 000013
【図１３】
0003967901.tif 000014
【図１４】
0003967901.tif 000015
【図１５】
0003967901.tif 000016
【図１６】
0003967901.tif 000017
【図１７】
0003967901.tif 000018
【図１８】
0003967901.tif 000019
【図１９】
0003967901.tif 000020
【図２０】
0003967901.tif 000021
【図２１】
0003967901.tif 000022
【図２２】
0003967901.tif 000023
【図２３】
0003967901.tif 000024